(57)【要約】【課題】  洗浄装置に備えられた回転ノズル内部に混入した汚れ物質を容易かつ確実に取り除くことができる洗浄装置およびその汚れ除去方法を提供する。【解決手段】  回転ノズル(3)に操作レバー(29)、蓋体(28)、リベット(30)を備え、操作レバー(29)を回転操作することによって蓋体(28)を変位させて、第２放出孔(26)を容易に開閉することができる蓋体(28)を設け、蓋体(28)を開放させた状態で洗浄装置(1)を濯ぎ運転することによって、回転ノズル(3)内部に混入した汚れ物質を除去する。【選択図】      図３
2015024383.tif 000002
【特許請求の範囲】
【請求項１】
被洗浄物を収容可能な洗浄槽と、
前記被洗浄物を洗浄するための洗浄液を放出させる回転ノズルと、を備える洗浄装置において、
前記回転ノズルは、
前記洗浄槽内に予め定める回転軸線まわりに回転自在に設けられ、前記回転軸線に垂直に延び、前記洗浄液が導入される導入空間を有する中空のノズル本体であって、
前記導入空間に導入された洗浄液を外部へ放出させるための複数の第１放出孔、および前記各第１放出孔の流路断面積よりも大きい流路断面積を有し、前記導入空間に導入された洗浄液を外部へ放出させるための第２放出孔が設けられるノズル本体と、
前記ノズル本体に設けられ、前記第２放出孔を開閉可能な開閉手段と、を含むことを特徴とする洗浄装置。
【請求項２】
前記第２放出孔は、前記ノズル本体の前記回転軸線から最も離れた部分に設けられることを特徴とする請求項１に記載の洗浄装置。
【請求項３】
前記開閉手段は、
前記ノズル本体に、前記第２放出孔を塞ぐ閉鎖位置と前記第２放出孔を開放させた開放位置とにわたって移動可能に保持される蓋体と、
前記蓋体に固定される操作レバーと、を含むことを特徴とする請求項１または２に記載の洗浄装置。
【請求項４】
前記開閉手段は、前記第２放出孔が開放されていることを示す開放情報と、前記第２放出孔が閉鎖されていること示す閉鎖情報とを、前記第２放出孔の開閉状態に応じて表示する開閉状態表示手段を含むことを特徴とする請求項１〜３のいずれか１つに記載の洗浄装置。
【請求項５】
請求項１〜４のいずれか１つに記載の洗浄装置に備えられる前記ノズル本体の汚れ物質を除去する汚れ除去方法であって、
前記開閉手段によって前記第２放出孔を開放させた状態で、前記導入空間に洗浄液を導入して、前記導入空間内の洗浄液を前記第２放出孔から放出させることを特徴とする洗浄装置の汚れ除去方法。
【発明の詳細な説明】
【技術分野】
【０００１】
本発明は、洗浄槽内に備えられる回転ノズルの内部に混入した汚れ物質を洗浄処理することができる洗浄装置および汚れ除去方法に関する。
【背景技術】
【０００２】
従来から、精密加工部品、半導体、ＩＣ（Integrated Circuit）、レンズ、医療器具などの被洗浄物の洗浄を行うには、被洗浄物を蒸気で洗浄する蒸気洗浄方法、被洗浄物をノズルから噴射する洗浄液により洗浄するシャワー洗浄方法、被洗浄物を、キャビテーション効果を利用して洗浄する超音波洗浄方法などが周知である。特に、迅速な洗浄を行うことができ、洗浄装置の洗浄槽内に配置された被洗浄物を、少ない偏差で洗浄可能なシャワー洗浄は、工業用あるいは医療用の洗浄装置として広く用いられている。
【０００３】
前記シャワー洗浄に用いられている回転ノズルは、洗浄工程中に内部に汚れ物質が混入されてしまうため、回転ノズルの内部の汚れ物質を除去する必要がある。このような除去機能を備える従来技術としては、回転ノズルのノズル本体の周端に取外し可能な蓋体を設け、前記蓋体をノズル本体から外して、回転ノズルの内部を洗浄することができる洗浄装置および汚れ除去方法が提案されている（たとえば、特許文献１を参照）。
【先行技術文献】
【特許文献】
【０００４】
【特許文献１】特表２００９−５４０８９１号公報
【発明の概要】
【発明が解決しようとする課題】
【０００５】
しかしながら、前述の特許文献１に開示される従来技術では、回転ノズルの内部の汚れ除去作業を行うにあたって、洗浄装置から一旦回転ノズルを取り外し、さらに前記回転ノズルの蓋体をノズル本体から取り外した後、人手によってノズル本体および蓋体を個別に洗浄する必要があり、このような洗浄作業は煩雑であり、洗浄作業に手間を要するという問題がある。
【０００６】
本発明の目的は、回転ノズルの内部の汚れ物質を容易かつ効率よく除去することができる洗浄装置および汚れ除去方法を提供することである。
【課題を解決するための手段】
【０００７】
本発明は、被洗浄物を収容可能な洗浄槽と、
前記被洗浄物を洗浄するための洗浄液を放出させる回転ノズルと、を備える洗浄装置において、
前記回転ノズルは、
前記洗浄槽内に予め定める回転軸線まわりに回転自在に設けられ、前記回転軸線に垂直に延び、前記洗浄液が導入される導入空間を有する中空のノズル本体であって、
前記導入空間に導入された洗浄液を外部へ放出させるための複数の第１放出孔、および前記各第１放出孔の流路断面積よりも大きい流路断面積を有し、前記導入空間に導入された洗浄液を外部へ放出させるための第２放出孔が設けられるノズル本体と、
前記ノズル本体に設けられ、前記第２放出孔を開閉可能な開閉手段と、を含むことを特徴とする洗浄装置である。
【０００８】
また本発明において、前記第２放出孔は、前記ノズル本体の前記回転軸線から最も離れた部分に設けられることを特徴とする。
【０００９】
また本発明において、前記開閉手段は、
前記ノズル本体に、前記第２放出孔を塞ぐ閉鎖位置と前記第２放出孔を開放させた開放位置とにわたって移動可能に保持される蓋体と、
前記蓋体に固定される操作レバーと、を含むことを特徴とする。
【００１０】
また本発明、前記開閉手段は、前記第２放出孔が開放されていることを示す開放情報と、前記第２放出孔が閉鎖されていること示す閉鎖情報とを、前記第２放出孔の開閉状態に応じて表示する開閉状態表示手段を含むことを特徴とする。
【００１１】
本発明は、前記洗浄装置に備えられる前記ノズル本体の汚れ物質を除去する汚れ除去方法であって、
前記開閉手段によって前記第２放出孔を開放させた状態で、前記導入空間に洗浄液を導入して、前記導入空間内の洗浄液を前記第２放出孔から放出させることを特徴とする汚れ除去方法である。
【発明の効果】
【００１２】
本発明によれば、洗浄装置に備えられる回転ノズル内に残存する汚れ物質を、開閉手段によって第２放出孔を開放させた状態で、ノズル本体に洗浄液を導入することよって、ノズル本体内を容易かつ安全に洗浄して、ノズル本体内の汚れ物質を除去することができる。また、前記開閉手段によって第２放出孔を閉鎖することによって、導入空間に導入された洗浄液を各第１放出孔から放出させて、通常の洗浄運転を行い、被洗浄物を洗浄することができる。
【００１３】
また本発明によれば、第２放出孔がノズル本体の回転軸線から最も離れた部分に設けられるので、前記開閉手段によって第２放出孔を開放させた状態で導入空間内に洗浄液が供給されると、回転ノズルに働く遠心力によって、導入空間内の洗浄液を回転ノズルの周端部へ向けて流動させて、第２放出孔から放出することができる。これによって、回転ノズル内部の汚れ物質を、より確実に、除去することができる。
【００１４】
また本発明によれば、開閉手段が蓋体を操作レバーによって開閉するように構成されるので、回転ノズルを洗浄槽から取り外すことなく、第２放出孔を開放し、または閉鎖することができる。これによって回転ノズルの洗浄を、容易かつ迅速に行うことができ、メンテナンス性を向上することができる。
【００１５】
また本発明によれば、開閉手段には開閉状態表示手段が設けられるので、第２放出孔が開放状態か閉鎖状態かを目視で容易に識別することができる。
【００１６】
本発明の洗浄方法によれば、開閉手段によって第２放出孔を開放させた状態で、導入空間に洗浄液を導入して、洗浄運転を行うことによって、ノズル本体内を容易かつ安全に洗浄して、ノズル本体内の汚れ物質を除去することができる。
【図面の簡単な説明】
【００１７】
【図１】本発明の一実施形態に係る洗浄装置１の概略的な全体の構成を示す系統図である。
【図２】洗浄装置１の外観を示す斜視図である。
【図３】回転ノズル３の一端部付近の拡大断面図である。
【図４】回転ノズル３の一端部付近の拡大底面図である。
【図５】回転ノズル３の一端部付近の分解斜視図である。
【図６】ノズル本体２７の外観を示す斜視図である。
【図７】ノズル本体２７の平面図である。
【図８】ノズル本体２７の底面図である。
【図９】本発明の他の実施形態の洗浄装置１ａに用いられる回転ノズル３ａの一端部付近の拡大底面図である。
【図１０】回転ノズル３ａの一端部付近を図９の切断面線Ｘ−Ｘから見た断面図である。
【図１１】回転ノズル３ａを図９の切断面線ＩＸ−ＩＸから見た断面図である。
【図１２】回転ノズル３ａの底面図である。
【図１３】本発明のさらに他の実施形態の洗浄装置１ｂに備えられる回転ノズル３ｂの一端部付近の拡大底面図である。
【図１４】回転ノズル３ｂの一端部付近を図１３の切断面線ＸＩＶ−ＸＩＶから見た断面図である。
【図１５】回転ノズル３ｂの底面図である。
【発明を実施するための形態】
【００１８】
（実施形態１）
図１は、本発明の一実施形態に係る洗浄装置１の概略的な全体の構成を示す系統図であり、図２は洗浄装置１の外観を示す斜視図である。なお、本実施形態の洗浄装置１によって、本発明に係る汚れ除去方法が実施される例について、以下に説明する。
【００１９】
本実施形態の洗浄装置１は、工業用あるいは医療用の洗浄装置であり、精密加工部品、半導体、ＩＣ（Integrated Circuit）、レンズ、医療器具などの被洗浄物２の洗浄に用いられ、後述するように、回転ノズル３の内部に付着または混入した汚れ物質を除去するための機能を備える。
【００２０】
洗浄装置１は、複数の回転ノズル３、洗浄槽４、貯留タンク５、循環ポンプ６、循環流入管７、循環流出管８、供給ポンプ９、一次側供給管１０、二次側供給管１１、複数段の洗浄棚１２、および被洗浄物２を収容して洗浄棚１２の各段に載置される網状の複数のバスケット１３を備える。
【００２１】
洗浄槽４の下部には、洗浄後の洗浄液を濾過する槽内フィルタ１４と、超音波発振パネル１５ａ，１５ｂとが備えられている。貯留タンク５と供給ポンプ９の流入ポートとは、一次側供給管１０によって接続される。供給ポンプ９の流出ポートと洗浄槽４とは、二次側供給管１１によって接続される。洗浄槽４内には、各回転ノズル３に洗浄液を導く給液管１６が配設される。給液管１６には、二次側供給管１１が接続される。
【００２２】
貯留タンク５内には、洗浄液が貯留され、供給ポンプ９を動作させることによって、貯留タンク５内の洗浄液は、一次側供給管１０、供給ポンプ９、二次側供給管１１および給液管１６を通って、各回転ノズル３に供給される。
【００２３】
このようにして、洗浄槽４内に供給された洗浄液は、各回転ノズル３を介して被洗浄物２に噴射されるように構成されている。
【００２４】
洗浄槽４の下部に設けられるドレンポート１７と循環ポンプ６の流入ポート１８とは、循環流入管７によって接続され、循環ポンプ６の流出ポート１９と洗浄槽４の流入ポート２０とは、循環流出管８によって接続される。洗浄槽４の流入ポート２０は、洗浄槽４内で給液管１６または二次側供給管１１に接続され、循環液に貯留タンク５内の洗浄液を補充しながら洗浄することができるように構成されている。
【００２５】
洗浄槽４の底部には、槽内フィルタ１４が配置され、洗浄後の洗浄液に混入している汚れ物質が槽内フィルタ１４によって除去される。汚れ物質が除去された洗浄液は、前述のように、循環流入管７、循環ポンプ６および循環流出管８を通って、再び洗浄槽４に供給されて洗浄に用いられる。
【００２６】
前述の槽内フィルタ４としては、たとえば第１段フィルタと第２段フィルタとによって構成される多段フィルタが用いられてもよい。第１段フィルタは、樹脂フィルタが好ましく、第２段フィルタは、樹脂以外のフィルタが好ましい。樹脂フィルタは、ろ過面積を容易に広くすることができるので、ろ過精度を高いまま、流量も大きくすることができるが、圧力が変動すると伸び縮みして精密なろ過ができない。
【００２７】
これに対して、樹脂以外のフィルタは、圧力の変動によるろ過精度の変動が小さいが、大流量を通過させるためには、樹脂フィルタよりも大きなスペースが必要となるので、大流量を確保することが困難である。したがって、第１段フィルタに樹脂フィルタを用い、第２段フィルタに樹脂以外のフィルタを用いることによって、ろ過精度および流量を充分に確保することができるので、被洗浄物２を充分に洗浄することができる。
【００２８】
樹脂フィルタとしては、ポリプロピレン、ポリスルホン、テトラフルオロエチレン−パーフルオロアルキルビニル共重合体、ポリテトラフルオロエチレン、ポリスチレンなどの樹脂およびそれらの樹脂に適当な添加剤を混ぜた樹脂から成るフィルタが挙げられる。また樹脂以外のフィルタとしては、酸化アルミニウムおよび酸化ケイ素などを焼き固めたセラミックフィルタ、ステンレスを焼き固めた焼結フィルタ、ステンレスおよびタングステンなどで微細の孔を形成させたフィルタなどが挙げられる。
【００２９】
槽内フィルタ１４を洗浄液が通過するときに捕捉されなかった汚れ物質、たとえばガーゼなどのリネン、小径チューブ片、紙片などの微細物質は除去されずに、槽内フィルタ１４を通過し、回転ノズル３内に残着してしまう場合がある。そこで、回転ノズル３において、後述の開閉手段である蓋体２８によって第２放出孔２６を開放状態にし、濯ぎ運転を実施することによって、回転ノズル３内の汚れ物質を除去することができるように構成される。
【００３０】
前述の洗浄装置１の装置本体２１には、洗浄コースを設定するための操作パネル２２が洗浄槽３の開口部に隣接して設けられる。洗浄装置１には、洗浄コースとして、温水ジェット洗浄を行う「予洗浄工程」、洗浄剤を自動投入し、温水ジェット洗浄を行う「洗浄工程」、洗浄液を昇温させ、高温ジェットで洗浄を行い、プリオン対策の条件である、アルカリ洗浄剤のよる熱湯洗浄も行なう「高温洗浄工程」、温水ジェット洗浄と２４００Ｗの超音波で精密洗浄を行う「超音波洗浄工程」、温水ジェット洗浄を行う「濯ぎ工程」、熱湯による除染を行う「高温除染工程」、潤滑剤を自動投入し、潤滑防錆処理を行う「潤滑防錆工程」、最大１３０℃の温風を回転ノズル３から吐出する「乾燥工程」のうちの１または複数の組合せを選択的に設定可能である。
【００３１】
回転ノズル３の具体的構成については、以下に詳述するが、実施形態は本発明の一実施態様であり、本発明を限定するものではない。
【００３２】
図３は、回転ノズル３の一端部付近の拡大断面図であり、図４の切断面線ＩＩＩ-ＩＩＩから見た断面を示す。図４は回転ノズル３の一端部付近の拡大底面図であり、図５は回転ノズル３の一端部付近の分解斜視図である。図６は、ノズル本体２７の外観を示す斜視図であり、図７はノズル本体２７の平面図であり、図８はノズル本体２７の底面図である。
【００３３】
回転ノズル３は、洗浄槽４内に予め定める回転軸線Ｌ１まわりに矢符Ｃ方向に回転自在に設けられ、回転軸線Ｌ１に垂直に延び、洗浄液が導入される導入空間２３を有する中空のノズル本体２４であって、導入空間２３に導入された洗浄液を外部へ放出させるための複数の第１放出孔２５、および導入空間２３に導入された洗浄液を外部へ放出させるための複数（本実施形態では２）の第２放出孔２６が設けられるノズル本体２７と、ノズル本体２７に設けられ、第２放出孔２６を開閉可能な開閉手段である蓋体２８とを含む。
【００３４】
ノズル本体２７は、たとえば耐薬品性に優れた材料、たとえばステンレス鋼・チタン・耐薬品性樹脂などから成る。各第２放出孔２６の流路断面積Ａ２は、各第１放出孔２５の流路断面積Ａ１よりも大きく（Ａ１＞Ａ２）選ばれる。本実施形態においては、蓋体２８に操作レバー２９、リベット３０が備えられている。操作レバー２９と蓋体２８とは接着されており、リベット３０によって回転軸線Ｌ１に平行な角変位軸線Ｌ２まわりに回動可能に取り付けられている。
【００３５】
ノズル本体２７は、上カバー体２７ａと、下カバー体２７ｂとによって構成される。上カバー体２７ａは、回転軸線Ｌ１から垂直に延び、回転軸線Ｌ１から離反するにつれて先細状となる板状の天板部２７ａ１と、天板部２７ａ１の周縁部に連なり、天板部２７ａ１の導入空間２３に臨む一方の主面、すなわち内面６０を含む仮想一表面に対して垂直に離反するにつれて外方へ傾斜する周壁部２７ａ２とを有する。また、下カバー体２７ｂは、回転軸線Ｌ１から垂直に延び、回転軸線Ｌ１から離反するにつれて先細状となり、天板部２７ａ１に平行な板状体から成る。
【００３６】
天板部２７ａ１には、複数の放出孔２５ａが形成され、周壁部２７ａ２の長手方向両端部には、複数の放出孔２５ｂが回転軸線Ｌ１に関して軸対称に形成され、下カバー体２７ｂには、複数の放出孔２５ｃが形成される。これらの放出孔２５ａ〜２５ｃによって、前述の第１放出孔２５が構成される。放出孔２５ｂは、前述のように、傾斜した周壁部２７ａ２に軸対称に形成されるので、噴射した洗浄液の反力によって、回転ノズル３の矢符Ｃ方向への推進力が発生し、回転ノズル３を洗浄液の噴射力によって回転させることができる。
【００３７】
このような構成によって、リベット３０を中心にして、操作レバー２９を回転させることができる。また蓋体２８を開閉することができるので、回転ノズル３内に導入された洗浄液を第２放出孔６から放出させて、ノズル本体２７を内部洗浄し、汚れ物質を除去することができる。このとき、操作レバー２９の回転は手動で行ってもよく、あるいは電動モータ、電磁プランジャなどのアクチュエータを用いて、いわば自動で実施できる構造を設けるように構成されてもよい。
【００３８】
このように、回転ノズル３の蓋体２８を、操作レバー２９を用いて簡易に備えることができるため、洗浄装置１から回転ノズル３を取り外すことなく、回転ノズル３の内部洗浄を行い、回転ノズル３内部に混入した汚れ物質を除去することができる。
【００３９】
さらに、蓋体２８の開閉状態を外部からオペレータが目視で容易に判断するための開閉状態表示手段として、操作レバー２９において、側方から見て表側と裏側に異なる色、たとえば開放時に手前側に配置される表面を赤色に、また閉鎖時に手前側に配置される裏面を青色に塗装して、色で開閉状態を識別することができるように構成される。
【００４０】
このように、蓋体２８の開閉を判断し、洗浄装置１を用いて被洗浄物を洗浄する時は蓋体２８を閉口状態にして通常運転し、洗浄装置１を用いて回転ノズル３の内部に混入した汚れ物質を除去するときは、蓋体２８を開放状態にして濯ぎ運転すればよい。
【００４１】
（実施形態２）
図９は、本発明の他の実施形態の洗浄装置１ａに用いられる回転ノズル３ａの一端部付近の拡大底面図であり、図１０は回転ノズル３ａの一端部付近を図９の切断面線Ｘ−Ｘから見た断面図であり、図１１は回転ノズル３ａを図９の切断面線ＩＸ−ＩＸから見た断面図であり、図１２回転ノズル３ａの底面図である。なお、前述の実施形態と対応する部分に同一の参照符を付し、重複する部分の説明は省略する。
【００４２】
本実施形態の洗浄装置１ａにおいては、回転ノズル３ａのノズル本体２６にシャッタ部材４０が取り付けられている。したがって、シャッタ部材４０を、下カバー体２７ｂの内面６１の第２放出孔２６の両側に固着される一対の案内レール６２ａ，６２ｂによって、図９および図１０において左右方向Ｂ１，Ｂ２、すなわち回転ノズル３ａの長手方向にスライドさせることによって、第２放出孔２６を開閉させることができる。
【００４３】
この場合、シャッタ部材４０のスライドは、手動で行ってもよく、あるいは電磁プランジャおよび空気圧シリンダなどのアクチュエータによって自動で開閉する構成によって実現されてもよい。
【００４４】
このように、回転ノズル３の開閉手段を、シャッタ部材４０を用いて簡易に実現することができるため、洗浄装置１から回転ノズル３を取り外すことなく、回転ノズル３内部に混入した汚れ物質を除去することができる。
【００４５】
（実施形態３）
図１３は、本発明のさらに他の実施形態の洗浄装置１ｂに備えられる回転ノズル３ｂの一端部付近の拡大底面図であり、図１４は回転ノズル３ｂの一端部付近を図１３の切断面線ＸＩＶ−ＸＩＶから見た断面図であり、図１５は回転ノズル３ｂの底面図である。なお、前述の実施形態と対応する部分には同一の参照符を付し、重複する部分の説明は省略する。
【００４６】
本実施形態においては、回転ノズル３にごむまたは合成ゴムから成る栓体５０が着脱可能に設けられる。このような栓体５０によって放出孔２６を開閉可能な開閉手段を実現することができる。
【００４７】
このように、回転ノズル３の開閉手段として栓体５０を用いて簡易に備えることができるため、洗浄装置１から回転ノズル３を取り外すことなく、回転ノズル３内部に混入した汚れ物質を除去することができる。
【００４８】
（回転ノズル３内部に混入した汚れ物質の除去確認試験）
本件発明者は、本発明に係る洗浄装置および汚れ除去方法による汚れ除去の効果を確認するため、図１に示した洗浄装置１を用いて、回転ノズル３内部に汚れ物質を混入させ、洗浄装置１の濯ぎ運転による汚れ物質の除去確認試験を実施した。
【００４９】
＜汚れ物質の混入＞
槽内フィルタ１４を通過する汚れ物質として、ガーゼなどのリネン、小径チューブ片、紙片などを用いた。汚れ物質を洗浄槽４内に配置し、回転ノズル３の開閉手段を閉口した状態で、洗浄装置１を１分間濯ぎ運転することで、回転ノズル３内に汚れ物質を混入させた。
【００５０】
＜実施＞
前記の汚れ物質が混入した回転ノズル３の蓋体を開口した状態で、洗浄装置１を５分間濯ぎ運転した。
【００５１】
＜実験結果＞
前述の実施形態１において、回転ノズル３の内部に混入した汚れ物質の除去性を目視評価したところ、回転ノズル３の内部に混入した汚れ物質は完全に除去できていることを確認した。
【００５２】
以上のように、本発明に従う洗浄装置および汚れ除去方法を用いて、洗浄装置に備えられた回転ノズル３に混入する汚れ物質を、高い洗浄処理能力で除去できることが確認された。
【００５３】
本実施形態によれば、洗浄装置１、１ａ，１ｂに備えられる回転ノズル３，３ａ，３ｂ内に残存する汚れ物質を、開閉手段である蓋体２８によって第２放出孔２６を開放させた状態で、ノズル本体２７に洗浄液を導入することよって、ノズル本体２７内を容易かつ安全に洗浄して、ノズル本体２７内の汚れ物質を除去することができる。また、蓋体２８によって第２放出孔２６を閉鎖することによって、導入空間２３に導入された洗浄液を各第１放出孔２５から放出させて、通常の洗浄運転を行い、被洗浄物を洗浄することができる。
【００５４】
また、蓋体２８および第２放出孔２６がノズル本体２７の回転軸線Ｌ１から最も離れた部分に設けられるので、蓋体２８によって第２放出孔２６を開放させた状態で導入空間２３内に洗浄液が供給されると、回転ノズル３に働く遠心力によって、導入空間２３内の洗浄液を回転ノズル３の周端部へ向けて流動させて、第２放出孔２６から放出することができる。これによって、回転ノズル３内部の汚れ物質を、より確実に、除去することができる。
【００５５】
また、蓋体２８を操作レバー２９によって開閉するように構成されるので、回転ノズル３を洗浄槽４から取り外すことなく、第２放出孔２６を開放し、または閉鎖することができる。これによって回転ノズル３の洗浄を、容易かつ迅速に行うことができ、メンテナンス性を向上することができる。
【００５６】
また、蓋体２８には開閉状態表示手段が設けられるので、第２放出孔２６が開放状態か閉鎖状態かを目視で容易に識別することができる。
【００５７】
本発明は、工業用あるいは医療用の洗浄装置に備えられた回転ノズルの洗浄に利用することができ、医療分野や様々な製造業の分野において有用なものである。
【符号の説明】
【００５８】
１，１ａ，１ｂ  洗浄装置
２  被洗浄物
３，３ａ，３ｂ  回転ノズル
４  洗浄槽
５  貯留タンク
６  循環ポンプ
７  循環流入管
８  循環流出管
９  供給ポンプ
１０  一次側供給管
１１  二次側供給管
１２  洗浄棚
１３  バスケット
１４  槽内フィルタ
１５ａ，１５ｂ  超音波発振パネル
【００５９】
１６  給液管
１７  洗浄槽４のドレンポート
１８  循環ポンプ６の流入ポート
１９  循環ポンプ６の流出ポート
２０  洗浄槽４の流入ポート
２３  導入空間
２４  ノズル本体
２５  第１放出孔
２６  第２放出孔
２７  ノズル本体
２８  蓋体
２９  操作レバー
３０  リベット
４０  シャッタ部材
５０  栓体
Ａ１，Ａ２  流路断面積
Ｌ１  回転軸線
Ｌ２  角変位軸線
【図１】
2015024383.tif 000003
【図２】
2015024383.tif 000004
【図３】
2015024383.tif 000005
【図４】
2015024383.tif 000006
【図５】
2015024383.tif 000007
【図６】
2015024383.tif 000008
【図７】
2015024383.tif 000009
【図８】
2015024383.tif 000010
【図９】
2015024383.tif 000011
【図１０】
2015024383.tif 000012
【図１１】
2015024383.tif 000013
【図１２】
2015024383.tif 000014
【図１３】
2015024383.tif 000015
【図１４】
2015024383.tif 000016
【図１５】
2015024383.tif 000017